(57)【要約】【課題】気液接触型熱交換器の伝熱部の外表面に散布水中のスケール分が析出して蓄積することなく、気液接触型熱交換器の伝熱性能を良好な状態に維持できる気液接触型熱交換器の散布水供給装置、及び散布水供給方法を提供すること。【解決手段】気液接触型熱交換器１３に散布水を散布する散布水ノズル１４と、落下した散布水２１を集めて貯留する散布水貯留水槽１１と、散布水貯留水槽１１内の散布水Ｑを散布水ノズル１４に送る散布水ポンプ１２を具備する気液接触型熱交換器の散布水供給装置において、散布水ポンプ１２が停止した場合にその停止時間を測定し、該停止時間が所定の一定停止時間を超えた場合、散布水ポンプ１２を所定の一定時間強制運転して、気液接触型熱交換器１３に散布水を散布する強制散水制御手段３０を設けた。【選択図】図２
2009192183.tif 000002
【特許請求の範囲】
【請求項１】
気液接触型熱交換器に散布水を散布する散布水ノズルと、該気液接触型熱交換器から落下した散布水を集めて貯留する散布水貯留水槽と、該散布水貯留水槽に貯留した散布水を前記散布水ノズルに送る散布水ポンプを具備する気液接触型熱交換器の散布水供給装置において、
前記散布水ポンプが停止した場合にその停止時間を測定し、該停止時間が所定の一定停止時間を超えた場合、前記散布水ポンプを所定の一定時間強制運転して、前記気液接触型熱交換器に散布水を散布する強制散水制御手段を設けたことを特徴とする気液接触型熱交換器の散布水供給装置。
【請求項２】
請求項１に記載の気液接触型熱交換器の散布水供給装置において、
前記強制散水制御手段の一定停止時間は、前記気液接触型熱交換器に付着残留した散布水が濃縮し、スケールが析出する時間以内の一定時間であることを特徴とする気液接触型熱交換器の散布水供給装置。
【請求項３】
請求項１又は２に記載の気液接触型熱交換器の散布水供給装置において、
前記散布水貯留水槽内に補給水管を通して補給水を給水する補給水供給手段と、
前記補給水供給手段を制御して前記散布水貯留水槽内の水位を一定に保つ水位制御手段と、
前記散布水貯留水槽内の散布水の水質を一定に保持する水質制御手段とを備えたことを特徴とする気液接触型熱交換器の散布水供給装置。
【請求項４】
請求項３に記載の気液接触型熱交換器の散布水供給装置において、
前記水質制御手段は、
前記散布水貯留水槽内の散布水の導電率を測定する導電率センサと、
前記補給水供給手段の補給水管に取り付けられ、前記導電率センサで測定する導電率がある値を上回ると開き、ある値を下回ると閉じる補給水弁と、
前記補給水弁が開いている間、前記散布水貯留水槽内の水位がオーバーフロー水位を超えた散布水を該散布水貯留水槽外に排水するオーバーフロー管とを具備することを特徴とする気液接触型熱交換器の散布水供給装置。
【請求項５】
散布水ノズルから散布水を気液接触型熱交換器に散布し、該気液接触型熱交換器から落下した散布水を該散布水貯留槽内に集めて貯留し、該貯留した散布水を散布水ポンプで前記散布水ノズルに送る気液接触型熱交換器の散布水供給方法であって、
前記散布水ポンプの停止時間が前記気液接触型熱交換器に付着残留した散布液が濃縮してスケールが析出する時間以内に設定した所定の一定時間継続した場合、前記散布水ポンプを所定時間強制的に運転し、前記気液接触型熱交換器に前記散布水ノズルを通して散布水を散布することを特徴とする気液接触型熱交換器の散布水供給方法。
【発明の詳細な説明】
【技術分野】
【０００１】
本発明は、気液接触型熱交換器に散布水を散布する気液接触型熱交換器の散布水供給装置、及び散布水供給方法に関するものである。
【背景技術】
【０００２】
図１は従来のこの種の気液接触型熱交換器の散布水供給装置のシステム構成を示す図である。図示するように、散布水供給装置１０は散布水を貯留する散布水貯留水槽１１と、該散布水貯留水槽１１内に貯留された散布水Ｑを循環させる散布水ポンプ１２と、該散布水ポンプ１２によって送られた散布水を気液接触型熱交換器１３に散布する散布水ノズル１４を具備する。散布水貯留水槽１１は気液接触型熱交換器１３の下方に配置され、気液接触型熱交換器１３から落下する散布水を集めて貯留するようになっている。
【０００３】
また、散布水供給装置１０には、補給水管１５を通して散布水貯留水槽１１内に補給される補給水量を制御して該散布水貯留水槽１１内の水位を一定に保つ水位制御手段としてのボールタップ１６と、散布水の導電率を測定する導電率センサ１７、導電率がある値を上回ると開き、ある値を下回ると閉じる補給水弁１８と、補給水弁１８が開いている間、オーバーフロー水位を超えた濃縮された散布水Ｑを排水させるオーバーフロー管１９とからなる水質制御手段と、メンテナンス時など必要に応じて散布水貯留槽１１内の散布水Ｑを全て排水する全ブロー弁２０を具備している。
【特許文献１】特開平１０−２９２９９９号公報
【発明の開示】
【発明が解決しようとする課題】
【０００４】
上記構成の散布水供給装置１０の散布水ノズル１４から気液接触型熱交換器１３に散布される散布水Ｑは、運転中は前記水質制御手段によって濃度倍数が３．０程度に保たれている。散布水ポンプ１２が停止すると、気液接触型熱交換器１３に散布された散布水は表面張力等で残留する。この残留した散布水は徐々に蒸発し濃縮し、散布水中に含まれるスケール分が気液接触型熱交換器１３の外表面に析出する。この析出したスケールは、再度、散布水供給装置１０の散布水ポンプ１２を運転し、散布水ノズル１４から気液接触型熱交換器１３に散布水を散布しても完全に洗い流すことができない。従って、散布水ポンプ１２の運転停止を繰り返すことにより、スケールが気液接触型熱交換器１３の伝熱部の外表面に蓄積する。このスケールの蓄積は気液接触型熱交換器１３の伝熱性能を著しく阻害するため、定期的に薬品等を使用して蓄積したスケールを除去する必要があった。
【０００５】
本発明は上述の点に鑑みてなされたもので、気液接触型熱交換器の伝熱部の外表面に散布水中のスケール分が析出して蓄積することなく、気液接触型熱交換器の伝熱性能を良好な状態に維持できる気液接触型熱交換器の散布水供給装置、及び散布水供給方法を提供することを目的とする。
【課題を解決するための手段】
【０００６】
上記課題を解決するため本発明は、気液接触型熱交換器に散布水を散布する散布水ノズルと、該気液接触型熱交換器から落下した散布水を集めて貯留する散布水貯留水槽と、該散布水貯留水槽に貯留した散布水を前記散布水ノズルに送る散布水ポンプを具備する気液接触型熱交換器の散布水供給装置において、散布水ポンプが停止した場合にその停止時間を測定し、該停止時間が所定の一定停止時間を超えた場合、散布水ポンプを所定の一定時間強制運転して、気液接触型熱交換器に散布水を散布する強制散水制御手段を設けたことを特徴とする。
【０００７】
また、本発明は、上記気液接触型熱交換器の散布水供給装置において、強制散水制御手段の一定停止時間は、気液接触型熱交換器に付着残留した散布水が濃縮し、スケールが析出する時間以内の一定時間であることを特徴とする。
【０００８】
上記のように気液接触型熱交換器に付着残留した散布水が濃縮し、スケールが析出する時間以内に設定された一定時間継続して散布水ポンプが停止した場合、強制散水制御手段で散布水ポンプを強制運転して、気液接触型熱交換器に散布水を散布することにより、常に気液接触型熱交換器の外表面には表面張力などで散布水が保持されるから、散布水中に含まれるスケール分が析出することが無くなる。
【０００９】
また、本発明は、上記気液接触型熱交換器の散布水供給装置において、散布水貯留水槽内に補給水管を通して補給水を給水する補給水供給手段と、補給水供給手段を制御して散布水貯留水槽内の水位を一定に保つ水位制御手段と、散布水貯留水槽内の散布水の水質を一定に保持する水質制御手段とを備えたことを特徴とする。
【００１０】
また、本発明は、上記気液接触型熱交換器の散布水供給装置において、水質制御手段は、散布水貯留水槽内の散布水の導電率を測定する導電率センサと、補給水供給手段の補給水管に取り付けられ、前記導電率センサで測定する導電率がある値を上回ると開き、ある値を下回ると閉じる補給水弁と、補給水弁が開いている間、散布水貯留水槽内の水位がオーバーフロー水位を超えた散布水を該散布水貯留水槽外に排水するオーバーフロー管とを具備することを特徴とする。
【００１１】
また、本発明は、散布水ノズルから散布水を気液接触型熱交換器に散布し、該気液接触型熱交換器から落下した散布水を該散布水貯留槽内に集めて貯留し、該貯留した散布水を散布水ポンプで散布水ノズルに送る気液接触型熱交換器の散布水供給方法であって、散布水ポンプの停止時間が気液接触型熱交換器に付着残留した散布液が濃縮してスケールが析出する時間以内に設定した所定の一定時間継続した場合、散布水ポンプを所定時間強制的に運転し、気液接触型熱交換器に散布水ノズルを通して散布水を散布することを特徴とする。
【００１２】
上記のように散布水ポンプの停止時間が気液接触型熱交換器に付着残留した散布液が濃縮してスケールが析出する時間以内に設定した所定の一定時間継続した場合、散布水ポンプを所定時間強制的に運転し、散布水を気液接触型熱交換器に散布水を散布することにより、常に気液接触型熱交換器の外表面には表面張力などで散布水が保持されるから、散布水中に含まれるスケール分が析出することが無くなる。
【発明の効果】
【００１３】
本発明によれば、散布水ポンプの停止時間が所定の一定時間継続した場合、散布水ポンプを所定時間強制的に運転し、散布水を気液接触型熱交換器に散布することにより、常に気液接触型熱交換器の外表面には表面張力などで散布水が保持され、散布水中に含まれるスケール分の析出を防ぎ、長期間にわたって気液接触型熱交換器の伝熱性能を良好な状態に維持できるという効果が得られる。
【発明を実施するための最良の形態】
【００１４】
以下、本願発明の実施の形態例を図面に基づいて説明する。図２は本発明に係る気液接触型熱交換器の散布水供給装置のシステム構成を示す図である。本発明に係る気液接触型熱交換器の散布水供給装置１０は、図１に示す散布水供給装置１０と同様、散布水貯留水槽１１と、散布水ポンプ１２と、気液接触型熱交換器１３に散布水を散布する散布水ノズル１４を具備する。散布水貯留水槽１１は気液接触型熱交換器１３の下方に配置され、気液接触型熱交換器１３から落下する散布水を集めて貯留するようになっている。
【００１５】
また、補給水管１５を通して散布水貯留水槽１１内に補給される補給水量を制御して該散布水貯留水槽１１内の水位を一定に保つ水位制御手段としてのボールタップ１６を備えていること、散布水の導電率を測定する導電率センサ１７、導電率がある値を上回ると開き、ある値を下回ると閉じる補給水弁１８と、補給水弁１８が開いている間、オーバーフロー水位を超えた濃縮された散布水Ｑを排水させるオーバーフロー管１９とからなる水質制御手段を備えていること、メンテナンス時など必要に応じて散布水貯留槽１１内の散布水Ｑを全て排水する全ブロー弁２０を具備している点も図１の散布水供給装置１０と同様である。
【００１６】
また、散布水供給装置１０から、気液接触型熱交換器１３に散布される散布水は、前記水質制御手段によって運転中は濃縮倍数が３．０程度に保たれている点も同様である。本発明に係る散布水供給装置１０が、図１に示す従来の散布水供給装置１０と異なる点は、停止時間タイマ３１と強制運転時間タイマ３２を具備する強制散水制御手段３０を備えている点である。
【００１７】
上記強制散水制御手段３０は、散布水ポンプ１２が停止すると停止時間タイマ３１を起動し、該散布水ポンプ１２の停止状態が停止時間タイマ３１に設定している所定の一定時間継続した場合、散布水ポンプ１２を強制運転し、停止時間タイマ３１をリセットすると共に、強制運転時間タイマ３２を起動する。そして散布水ポンプ１２の強制運転が強制運転時間タイマ３２に設定している所定の一定時間継続した場合、散布水ポンプ１２を停止し、強制運転時間タイマ３２をリセットすると共に、停止時間タイマ３１を起動する。このように、強制散水制御手段３０は、散布水ポンプ１２の停止状態が停止時間タイマ３１に設定している所定の一定時間継続した場合、散布水ポンプ１２を強制運転する。
【００１８】
気液接触型熱交換器１３に散布された散布水は、散布水ポンプ１２が停止して散布水の散布が停止しても表面張力等でその外表面に散布水が残留する。この残留した散布水は時間の経過とともに徐々に蒸発して濃縮され、散布水中に含まれるスケール分が析出する。そこで強制散水制御手段３０は、この濃縮によりスケールが析出する前に散布水ポンプ１２を強制運転して、気液接触型熱交換器１３に水質制御手段によって水質管理されている散布水を散布することにより、気液接触型熱交換器１３の外表面には散布水が保持され乾くことが無いので、散布水中に含まれるスケールが析出することはない。ここで、停止時間タイマ３１に設定している所定の一定時間は、気液接触型熱交換器１３の外表面に付着残留する散布水が濃縮して、スケールが析出するまでの時間以内の一定時間（例えば、５時間〜１０時間）に設定すればよい。これにより、気液接触型熱交換器１３の外表面にスケールが付着するのを防止できる。
【００１９】
上記のように、散布水ポンプ１２を運転し、散布水貯留水槽１１の散布水Ｑを散布水ノズル１４に送り、気液接触型熱交換器１３に散布することにより、気液接触型熱交換器１３の伝熱部外表面に付着する散布水と被冷却流体配管２２を通して送られてくる被冷却流体の間で熱交換が行われ、被冷却流体は冷却され、散布水と被冷却流体配管２２を通って所定の場所に送られる。一方、上記熱交換により昇温した散布水（水滴）２１は、矢印Ａのように流れる空気とが接触し、気化熱が奪われ、散布水貯留水槽１１内に落下し貯留される。
【００２０】
補給水には例えば水道水を用いる。散布水貯留水槽１１の散布水Ｑは、上記導電率センサ１７、補給水弁１８、及びオーバーフロー管１９を備えた水質制御手段で、濃縮倍数が３．０程度に保たれている。即ち、導電率センサ１７の検出伝導率が設定値を上回ると補給水弁１８を開き散布水貯留水槽１１に補給水を導入し、検出伝導率が設定値を下回ると補給水弁１８を閉じて補給水を導入を停止することにより、濃縮倍数が３．０程度に維持する。
【００２１】
以上、本発明の実施形態を説明したが、本発明は上記実施形態に限定されるものではなく、特許請求の範囲、及び明細書と図面に記載された技術的思想の範囲内において種々の変形が可能である。例えば、上記実施形態例では、強制散水制御手段３０は、停止時間タイマ３１と強制運転時間タイマ３２を備え、散布水ポンプ１２が停止すると該停止時間タイマ３１を起動し、所定の一定時間継続した場合、散布水ポンプ１２を強制運転し、停止時間タイマ３１をリセットすると共に、強制運転時間タイマ３２を起動しているが、これに限定されるものではなく、強制散水制御手段３０はＣＰＵや計時手段を備え、散布水ポンプ１２が停止した場合にその停止時間を測定し、停止時間が所定の一定停止時間（気液接触型熱交換器１３に付着残留する散布水が濃縮してスケールが析出する時間内に設定）を超えた場合、散布水ポンプ１２を所定の一定時間強制運転するようにしてもよい。
【図面の簡単な説明】
【００２２】
【図１】従来の気液接触型熱交換器の散布水供給装置のシステム構成例を示す図である。
【図２】本発明に係る気液接触型熱交換器の散布水供給装置のシステム構成例を示す図である。
【符号の説明】
【００２３】
１０    散布水供給措置
１１    散布水貯留水槽
１２    散布水ポンプ
１３    気液接触型熱交換器
１４    散布水ノズル
１５    補給水管
１６    ボールタップ
１７    導電率センサ
１８    補給水弁
１９    オーバーフロー管
２０    全ブロー弁
２１    散布水
２２    被冷却流体配管
３０    強制散水制御手段
３１    停止時間タイマ
３２    強制運転時間タイマ
【図１】
2009192183.tif 000003
【図２】
2009192183.tif 000004